(57)【要約】      （修正有）【課題】冷却流体を壁部に対して均一に供給する冷却構造を提供する。【解決手段】冷却孔２ｆの下流側に設けられた拡散部材２ｄを介することにより、燃焼器ライナ２ｂ内に流入した冷却空気が、周方向において拡散される。したがって、拡散部材２ｄにより、燃焼器ライナ２ｂへと流入する冷却空気の流速及び流量が、燃焼器ライナ２ｂの周方向において均一化され、燃焼器ライナ２ｂの壁面が均一に冷却される。ルーバ２ｅが冷却孔２ｆの近傍に設けられており、拡散部材２ｄから流入した冷却空気を燃焼器ライナ２ｂの内壁面に沿って案内することが可能である。したがって、燃焼器ライナ２ｂの内壁面を効果的に冷却することができる。【選択図】図２
2019184157.tif 000002
【特許請求の範囲】
【請求項１】
構造物の壁部の冷却を行う冷却構造であって、
前記壁部に形成された冷却孔の下流側かつ壁面に設けられると共に、冷却流体が通過可能な多孔質体の拡散部材を備えることを特徴とする冷却構造。
【請求項２】
前記拡散部材は、焼結金属であることを特徴とする請求項１記載の冷却構造。
【請求項３】
前記壁部に設けられ、壁面に沿って前記冷却流体を案内するルーバを備えることを特徴とする請求項１または２記載の冷却構造。
【請求項４】
前記冷却孔は、前記ルーバと前記壁面とにより形成される前記冷却流体の流路上に設けられることを特徴とする請求項３記載の冷却構造。
【請求項５】
周方向において複数の冷却孔が形成された燃焼器ライナと、
請求項１〜４のいずれか一項に記載の冷却構造と
を備え、
前記拡散部材は、前記燃焼器ライナの内壁面に設けられる
ことを特徴とする燃焼器。
【請求項６】
拡散部材は、環状に形状設定されることを特徴とする請求項５記載の燃焼器。
【発明の詳細な説明】
【技術分野】
【０００１】
本発明は、冷却構造及び燃焼器に関するものである。
【背景技術】
【０００２】
例えば、特許文献１には、燃焼器の冷却構造が開示されている。燃焼器においては、複数の冷却孔が形成されている。この冷却孔から、燃焼用に供給される空気の一部を冷却空気として燃焼器内に導入することにより、燃焼器の内壁が許容温度を超える高温とならないように冷却している。
【先行技術文献】
【特許文献】
【０００３】
【特許文献１】特開２０１２−３１７３７号公報
【発明の概要】
【発明が解決しようとする課題】
【０００４】
上述のような構造体における冷却は、壁部に形成された冷却孔より流入した冷却流体により行われる。しかしながら、冷却孔から流入した流体は、流体の流れ方向と交差する方向において冷却孔近傍にあたる領域において流量が多く、冷却孔から離れた領域において流量が少なくなる傾向がある。すなわち、冷却孔の形成位置に依存して、構造体の壁面における冷却流体の流量に分布が生じる。このような冷却流体の流量の分布は、壁面における温度分布の原因となる。
【０００５】
本発明は、上述する問題点に鑑みてなされたもので、冷却流体を壁部に対して均一に供給することを目的とするものである。
【課題を解決するための手段】
【０００６】
上記目的を達成するために、本発明では、冷却構造に係る第１の手段として、構造物の壁部の冷却を行う冷却構造であって、前記壁部に形成された冷却孔の下流側かつ壁面に設けられると共に、冷却流体が通過可能な多孔質体の拡散部材を備えるという手段を採用する。
【０００７】
冷却構造に係る第２の手段として、上記第１の手段において、前記拡散部材は、焼結金属であるという手段を採用する。
【０００８】
冷却構造に係る第３の手段として、上記第１または第２の手段において、前記壁部に設けられ、壁面に沿って前記冷却流体を案内するルーバを備える、という手段を採用する。
【０００９】
冷却構造に係る第４の手段として、上記第３の手段において、前記冷却孔は、前記ルーバと前記壁面とにより形成される前記冷却流体の流路上に設けられるという手段を採用する。
【００１０】
燃焼器に係る第１の手段として、周方向において複数の冷却孔が形成された燃焼器ライナと、請求項１〜４のいずれか一項に記載の冷却構造とを備え、前記拡散部材は、前記燃焼器ライナの内壁面に設けられるという手段を採用する。
【００１１】
燃焼器に係る第２の手段として、上記第１の手段において、拡散部材は、環状に形状設定される、という手段を採用する。
【発明の効果】
【００１２】
本発明によれば、冷却孔より流入した冷却流体は、拡散部材を通じて構造体の内部において拡散される。したがって、構造体の内部へと流入する冷却流体の流速及び流量が、構造体の流れ方向に交差する方向において均一化され、構造体の壁部に対して冷却流体を均一に供給することが可能である。
【図面の簡単な説明】
【００１３】
【図１】本発明の一実施形態におけるガスタービンの構成図である。
【図２】本発明の一実施形態における燃焼器ライナの一部を表す模式斜視図である。
【図３】本発明の一実施形態における燃焼器が備える拡散部材の斜視図である。
【発明を実施するための形態】
【００１４】
図１に示すように、ガスタービンＧは、圧縮機１と、燃焼器２と、タービン３とを有する。圧縮機１は、圧縮機動翼１ａと、圧縮機静翼１ｂと、ハウジング１ｃとを備えている。圧縮機１は、吸気口Ｈ１から吸気した外気を、後述するタービン軸３ａに固定され回転自在な圧縮機動翼１ａとハウジング１ｃに固定された圧縮機静翼１ｂとの間で圧縮して昇圧させて、燃焼器２が配置された圧縮空気室Ｒ１に供給する構成となっている。
【００１５】
燃焼器２は、燃料供給ノズル２ａと、燃焼器ライナ２ｂと、スワラ２ｃと、拡散部材２ｄと、ルーバ２ｅとを備えている。燃焼器２は、燃料供給ノズル２ａを介して供給される燃料と圧縮機１から供給された圧縮空気との混合気体を、燃焼器ライナ２ｂによって形成される燃焼領域Ｒ２内において燃焼させ、その燃焼ガスをタービン３に供給する構成となっている。
【００１６】
タービン３は、タービン軸３ａと、タービン動翼３ｂと、タービン静翼３ｃとを備えている。タービン３は、タービン軸３ａに固定され回転自在なタービン動翼３ｂと、ハウジング１ｃに固定されたタービン静翼３ｃとで燃焼器２から供給される燃焼ガスから回転運動エネルギーを得て、各タービン翼を通過した燃焼ガスを、排気口Ｈ２を介して外部に排気する構成となっている。
【００１７】
図１に示すように、燃焼器２は、圧縮空気室Ｒ１内に設置されている。圧縮空気室Ｒ１は、ハウジング１ｃ内に設けられ、タービン軸３ａ周りに環状空間を形成する。燃焼器２は、圧縮空気室Ｒ１の環状空間に沿って、略環状を呈する、いわゆるアニュラ形の燃焼器ライナ２ｂと、スワラ２ｃと、拡散部材２ｄと、ルーバ２ｅとを有する。燃焼器ライナ２ｂの圧縮機１から圧縮空気が供給される側には、燃料供給ノズル２ａが接続される。燃料供給ノズル２ａは、環状となった燃焼器ライナ２ｂに対し、所定間隔毎に複数接続されている。燃料供給ノズル２ａの周りには、スワラ２ｃが設けられている。
【００１８】
燃焼器ライナ２ｂは、略円筒形状とされ、周方向に沿って複数の冷却孔２ｆが形成されている。冷却孔２ｆは、燃焼器ライナ２ｂの内側と外側とを連通する貫通孔であり、燃焼器ライナ２ｂの周方向に沿って等間隔に設けられている。この冷却孔２ｆは、燃焼器ライナ２ｂの周方向において多数設けられると共に、燃焼器ライナ２ｂの軸方向において複数段設けられている。
【００１９】
スワラ２ｃは、圧縮機１から供給された圧縮空気を、燃料供給ノズル２ａ近傍から燃焼領域Ｒ２に導き入れて、混合ガスを生成する構成となっている。
【００２０】
拡散部材２ｄは、略円環状の部材を４分割することにより形成される円弧状の形状とされる。拡散部材２ｄは、燃焼器ライナ２ｂの内壁面であって、冷却孔２ｆの近傍かつ下流側であって、ルーバ２ｅと燃焼器ライナ２ｂとの間に設けられている。本実施形態の拡散部材２ｄは、焼結金属とされ、内部に複数の細孔及び空洞が形成された多孔質部材である。また、４つに分割された拡散部材２ｄは、燃焼器ライナ２ｂへの取付時に互いの端部同士が接触状態で燃焼器ライナ２ｂへと固定されることで、円環を形成する。なお、拡散部材２ｄは、燃焼器ライナ２ｂの内壁面に沿う形状とされる。拡散部材２ｄは、軸方向に沿う断面において略矩形とされる。
【００２１】
ルーバ２ｅは、図２に示すように、燃焼器ライナ２ｂ内壁面において冷却孔２ｆに沿って周状かつ燃焼空気の下流方向に向けて設けられている。これにより、ルーバ２ｅは、燃焼器ライナ２ｂの周方向において冷却孔２ｆ及び拡散部材２ｄを覆っている。ルーバ２ｅと燃焼器ライナ２ｂの内壁面との間には隙間が形成されており、冷却空気（冷却流体）が該隙間により燃焼器ライナ２ｂの内壁面に沿って案内される。ルーバ２ｅと燃焼器ライナ２ｂの内壁面との隙間には、拡散部材２ｄが配置されている。また、ルーバ２ｅには、燃焼器ライナ２ｂ側を向く面において全周に渡って溝が形成されている。この溝に拡散部材２ｄが嵌合された状態でルーバ２ｅが固定されることにより、ルーバ２ｅは、拡散部材２ｄと全周に渡って接触した状態となる。
【００２２】
このような拡散部材２ｄ及びルーバ２ｅは、本発明における冷却構造に相当する。また、燃焼器ライナ２ｂの壁部は、本発明における構造体の壁部に相当する。
【００２３】
続いて、このような本実施形態に係る燃焼器ライナ２ｂにおける拡散部材２ｄの作用について説明する。
【００２４】
燃焼器２において燃焼が行われている際には、圧縮空気室Ｒ１より燃焼器ライナ２ｂの内側へと、冷却孔２ｆを介して冷却空気が流入する。この際、燃焼器ライナ２ｂへと流入した冷却空気は、ルーバ２ｅと燃焼器ライナ２ｂとの間の隙間を通じて、燃焼器ライナ２ｂの壁面に沿って下流側に向けて流れる。該隙間には拡散部材２ｄが設けられており、燃焼器ライナ２ｂへと流入した冷却空気は、拡散部材２ｄを通過することとなる。冷却空気は、拡散部材２ｄ内において内部に形成された複数の空洞及び細孔を通過することで、燃焼器ライナ２ｂの周方向において分散される。そして、冷却空気は、拡散部材２ｄの細孔を通過すると、細孔の径方向外側に向けて拡散されることで、燃焼器ライナ２ｂの周方向において拡散される。これにより、拡散部材２ｄの下流側の冷却空気は、燃焼器ライナ２ｂの周方向において流速及び流量が均一となる。
【００２５】
そして、燃焼器ライナ２ｂの壁面に沿って流れる冷却空気により、燃焼器ライナ２ｂの壁面は冷却される。その後、冷却空気は、燃焼器ライナ２ｂの下流端より排出される。
【００２６】
本実施形態によれば、冷却孔２ｆの下流側に設けられた拡散部材２ｄを介することにより、燃焼器ライナ２ｂ内に流入した冷却空気が、周方向において拡散される。したがって、拡散部材２ｄにより、燃焼器ライナ２ｂへと流入する冷却空気の流速及び流量が、燃焼器ライナ２ｂの周方向において均一化され、燃焼器ライナ２ｂの壁面が均一に冷却される。
【００２７】
また、本実施形態によれば、拡散部材２ｄとして、焼結金属を用いることにより、多孔質構造としつつ、強度を担保することが可能である。
【００２８】
また、本実施形態によれば、ルーバ２ｅが冷却孔２ｆの近傍に設けられており、拡散部材２ｄから流入した冷却空気を燃焼器ライナ２ｂの内壁面に沿って案内することが可能である。したがって、燃焼器ライナ２ｂの内壁面を効果的に冷却することができる。
【００２９】
また、本実施形態によれば、ルーバ２ｅは、拡散部材２ｄと接触した状態で設けられている。すなわち、ルーバ２ｅと燃焼器ライナ２ｂの内壁面とのそれぞれに拡散部材２ｄが接触した状態とされる。これにより、冷却孔２ｆより流入する冷却空気が拡散部材２ｄを通過しやすくなる。したがって、拡散部材２ｄによる拡散効果をより高めることができる。
【００３０】
さらに、拡散部材２ｄは、燃焼器ライナ２ｂの内壁面に沿って全周に設けられている。これにより、いずれの冷却孔２ｆから流入した冷却空気についても拡散部材２ｄを通過させることができ、拡散部材２ｄによる拡散効果をより高めることができる。
【００３１】
なお、本発明は上記実施形態に限定されるものではなく、例えば以下のような変形例が考えられる。
（１）上記実施形態において、拡散部材２ｄは、ルーバ２ｅと燃焼器ライナ２ｂの内壁面とに接触し、ルーバ２ｅと燃焼器ライナ２ｂの内壁面との隙間を埋めるように設けられるものとしたが、本発明はこれに限定されない。拡散部材２ｄは、ルーバ２ｅとの間に隙間を有して設けられるものとしてもよい。この場合、より多くの冷却空気を燃焼器ライナ２ｂに取り込むことが可能である。
【００３２】
（２）上記実施形態においては、ルーバ２ｅを設ける構成について説明したが、本発明はこれに限定されない。燃焼器ライナ２ｂにおいては、中心部に、軸方向に沿う燃焼空気の流れが形成されている。したがって、冷却孔２ｆより流入した冷却空気は、燃焼空気の流れによって燃焼器ライナ２ｂの内壁に押し付けられる。すなわち、ルーバ２ｅを設けない構成においても、冷却空気を燃焼器ライナ２ｂの内壁面に沿って流すことができる。
【００３３】
（３）上記実施形態においては、冷却構造を燃焼器ライナ２ｂに対して設けるものとしたが、本発明はこれに限定されない。高温の壁部を有する構造体であれば、その機能が限定されるものではない。
【００３４】
（４）また、燃焼器２は、カン型もしくはカンニュラ型とされ、１つもしくは複数の筒状の燃焼器ライナ２ｂを備えるものとしてもよい。この場合、燃焼器ライナ２ｂのそれぞれに対して冷却構造が設けられる。
【００３５】
（５）また、上記実施形態においては、冷却流体として空気を用いるものとしたが、本発明はこれに限定されない。例えば、冷却流体は、構造体の機能に応じて変更可能であり、窒素等の不活性ガスや、液体状態の水等としてもよい。
【００３６】
（６）また、上記実施形態においては、拡散部材２ｄは、焼結金属により構成されるものとしたが、本発明はこれに限定されない。拡散部材２ｄは、例えば多孔質セラミックスにより構成されるものとしてもよい。
【符号の説明】
【００３７】
１  圧縮機
１ａ  圧縮機動翼
１ｂ  圧縮機静翼
１ｃ  ハウジング
２  燃焼器
２ａ  燃料供給ノズル
２ｂ  燃焼器ライナ
２ｃ  スワラ
２ｄ  拡散部材
２ｅ  ルーバ
２ｆ  冷却孔
３  タービン
３ａ  タービン軸
３ｂ  タービン動翼
３ｃ  タービン静翼
Ｇ  ガスタービン
Ｈ１  吸気口
Ｈ２  排気口
Ｒ１  圧縮空気室
Ｒ２  燃焼領域
【図１】
2019184157.tif 000003
【図２】
2019184157.tif 000004
【図３】
2019184157.tif 000005